(57)【特許請求の範囲】
【請求項１】
表側シート部と該表側シート部の裏面に袋状に貼り合わされた裏側シート部とを有する方形状の薬袋本体と、該薬袋本体に収容される処方薬の用法等に関する情報を説明するための処方薬説明シートとからなり、前記処方薬説明シートが前記薬袋本体の開口部に隣接して前記裏側シート部と一体に形成された薬袋であって、
前記表側シート部により形成される前記薬袋本体の表面部に前記処方薬の提供者情報が印刷され、かつ前記薬袋本体の表面部と同じ側の前記処方薬説明シートの表面部に前記処方薬の説明事項が印刷され、
さらに前記処方薬説明シートの裏面部に広告が印刷されていることを特徴とする薬袋。
【請求項２】
表側シート部と該表側シート部の裏面に袋状に貼り合わされた裏側シート部とを有する方形状の薬袋本体と、該薬袋本体に収容される処方薬の用法等に関する情報を説明するための処方薬説明シートとからなり、前記処方薬説明シートが前記薬袋本体の一側辺部に隣接して前記裏側シート部と一体に形成された薬袋であって、
前記表側シート部の、前記薬袋本体の開口部側の辺に指掛け部を有し、
前記表側シート部により形成される前記薬袋本体の表面部に前記処方薬の提供者情報が印刷され、かつ前記薬袋本体の表面部と同じ側の前記処方薬説明シートの表面部に前記処方薬の説明事項が印刷され、
さらに前記処方薬説明シートの裏面部に広告が印刷されていることを特徴とする薬袋。
【請求項３】
前記薬袋本体の開口部の両端側に形成された一対の貼り合わせ部のうち少なくとも一方の貼り合わせ部の開口部側端部に帯状貼り合わせ部を前記開口部の幅方向に沿って形成し、前記薬袋本体の開口幅を前記帯状貼り合わせ部により狭めたことを特徴とする請求項１又は請求項２に記載の薬袋。
【請求項４】
前記薬袋本体の開口部から処方薬が落下するのを防ぐ処方薬落下防止片を、前記裏側シート部の４つの端辺部のうち前記開口部を形成する端辺部に折り返し可能に設けたことを特徴とする請求項１又は請求項２に記載の薬袋。
【請求項５】
前記薬袋本体は、該薬袋本体の中に入り込んだ空気を抜くための空気抜きを有することを特徴とする請求項１〜４のいずれか一項に記載の薬袋。
【請求項６】
前記薬袋本体は、前記裏側シート部と共に１枚のシートから形成された前記表側シート部の左右側辺部と前記裏側シート部の左右側辺部とを貼り合わせて形成され、前記空気抜きは、前記表側シート部と前記裏側シート部とが連接する部分の左右両端部に、前記表側シート部と前記裏側シート部との非貼り合わせ領域を形成して形成されていることを特徴とする請求項５に記載の薬袋。
【請求項７】
前記薬袋本体は、前記裏側シート部と共に１枚のシートから形成された前記表側シート部の裏面と前記裏側シート部の表面とを袋状に貼り合わせて形成されていることを特徴とする請求項１〜５のいずれか一項に記載の薬袋。
【請求項８】
前記処方薬説明シートは、前記薬袋本体の開口部または前記薬袋本体の一側辺部に隣接して前記表側シート部と一体に形成され、前記薬袋本体は、前記表側シート部の裏面に透明フィルムからなる裏側シート部を袋状に貼り合わせて形成されていることを特徴とする請求項１〜５のいずれか一項に記載の薬袋。
【請求項９】
請求項１〜８のいずれか一項に記載の薬袋において、前記処方薬説明シートは、前記薬袋本体の外形寸法とほぼ同じ大きさで方形状に形成されていることを特徴とする薬袋。
【請求項１０】
請求項１〜９のいずれか一項に記載の薬袋において、前記薬袋本体の表面部と前記処方薬説明シートの表面部のいずれか一方のみに、前記処方薬の提供日時と処方者情報が印刷されていることを特徴とする薬袋。
【発明の詳細な説明】
【技術分野】
【０００１】
本発明は、調剤薬局や病院などで提供される処方薬を患者に渡すときに用いられる薬袋に関するものである。
【背景技術】
【０００２】
調剤薬局や病院などで提供される処方薬は、患者名等が印刷された薬袋に入れられて患者に渡されるのがほとんどである。この場合、近年のコンピュータによる薬剤情報管理システムの普及に伴い、薬袋と一緒に処方薬情報を印刷した印刷物を患者に渡すことが広く行われている。しかし、処方薬情報の印刷は薬袋への印刷とは別のシステムで行われることが多いため、設備コストやランニングコストが嵩み、印刷も手間がかかるという問題がある。
そこで、薬袋の表面に、処方した薬の名称、用法および写真等を表示する欄を印刷しておき、処方薬の提供時に患者名や薬の名称、用法および写真等を薬袋の表面に印刷する技術が提案されている（例えば、特許文献１参照）。
【０００３】
また、特許文献２には、中央シートの上辺に続いて上部シートが、同じく下辺に続いて下部シートが連接された用紙の、中央シートの下辺を第１谷折線として下部シートを中央シートの上面に折り畳み、かつ中央シートと下部シートの互いに相対する左右の縁部を貼り合わせて下部シートを表面部、中央シートを裏面部とする上部開口の袋本体を構成し、上部シートを中央シートの上辺を第２谷折線として袋本体の表面部上に折り畳み、袋本体の開口上部を塞ぐように構成するとともに、上部シートの背面に薬情報を印刷した薬袋が提案されている。
【先行技術文献】
【特許文献】
【０００４】
【特許文献１】実用新案登録公報第３０３０２６９号（００１２−００２３）
【特許文献２】特開２００７−９９３１１号公報（００１４−００１９）
【発明の概要】
【発明が解決しようとする課題】
【０００５】
上述した先行技術によると、処方薬情報の印刷と薬袋への印刷とを別々のシステムで行わずに済むが、特許文献１に記載された先行技術では、処方薬の写真を含めた処方薬情報を印刷するための領域を薬袋の表面に確保しなければならないため、薬袋自体の外形寸法が必要以上に大きくなってしまうなどの問題がある。
【０００６】
また、特許文献２に記載された先行技術では、上部シートの背面に処方薬情報を印刷すると共に下部シートの背面に患者名等を印刷した後、中央シートと下部シートとを袋状を貼り合わせて袋本体を作成しなければならないため、袋本体を作成に時間がかかり、その結果、処方薬を患者に提供するまでの時間が長くなってしまうという問題がある。さらに、上部シートを袋本体の表面部上に折り返したときに上部シートの背面に印刷された情報が袋本体の表面部上に来てしまい、患者のプライバシーが損なわれてしまうおそれがある。
本発明は上記のような問題点に着目してなされたものであり、その目的は、薬袋自体の外形寸法が必要以上に大きくなったり、処方薬を患者に提供するまでの時間が長くなったりすることを抑制することのできる薬袋を提供しようとするものである。
【課題を解決するための手段】
【０００７】
上記課題を解決するために、本発明の請求項１に係る発明は、表側シート部と該表側シート部の裏面に袋状に貼り合わされた裏側シート部とを有する方形状の薬袋本体と、該薬袋本体に収容される処方薬の用法等に関する情報を説明するための処方薬説明シートとからなり、前記処方薬説明シートが前記薬袋本体の開口部に隣接して前記裏側シート部と一体に形成された薬袋であって、前記表側シート部により形成される前記薬袋本体の表面部に前記処方薬の提供者情報が印刷され、かつ前記薬袋本体の表面部と同じ側の前記処方薬説明シートの表面部に前記処方薬の説明事項が印刷され、さらに前記処方薬説明シートの裏面部に広告が印刷されていることを特徴とする。
本発明の請求項２に係る発明は、表側シート部と該表側シート部の裏面に袋状に貼り合わされた裏側シート部とを有する方形状の薬袋本体と、該薬袋本体に収容される処方薬の用法等に関する情報を説明するための処方薬説明シートとからなり、前記処方薬説明シートが前記薬袋本体の一側辺部に隣接して前記裏側シート部と一体に形成された薬袋であって、前記表側シート部の、前記薬袋本体の開口部側の辺に指掛け部を有し、前記表側シート部により形成される前記薬袋本体の表面部に前記処方薬の提供者情報が印刷され、かつ前記薬袋本体の表面部と同じ側の前記処方薬説明シートの表面部に前記処方薬の説明事項が印刷され、さらに前記処方薬説明シートの裏面部に広告が印刷されていることを特徴としている。
【０００８】
本発明の請求項３に係る発明は、請求項１又は請求項２に記載の薬袋において、前記薬袋本体の開口部の両端側に形成された一対の貼り合わせ部のうち少なくとも一方の貼り合わせ部の開口部側端部に帯状貼り合わせ部を前記開口部の幅方向に沿って形成し、前記薬袋本体の開口幅を前記帯状貼り合わせ部により狭めたことを特徴とする。
本発明の請求項４に係る発明は、請求項１又は請求項２に記載の薬袋において、前記薬袋本体の開口部から処方薬が落下するのを防ぐ処方薬落下防止片を、前記裏側シート部の４つの端辺部のうち前記開口部を形成する端辺部に折り返し可能に設けたことを特徴とする。
【０００９】
本発明の請求項５に係る発明は、請求項１〜４のいずれか一項に記載の薬袋において、前記薬袋本体は、該薬袋本体の中に入り込んだ空気を抜くための空気抜きを有することを特徴とする。
本発明の請求項６に係る発明は、請求項５に記載の薬袋において、前記薬袋本体は、前記裏側シート部と共に１枚のシートから形成された前記表側シート部の左右側辺部と前記裏側シート部の左右側辺部とを貼り合わせて形成され、前記空気抜きは、前記表側シート部と前記裏側シート部とが連接する部分の左右両端部に、前記表側シート部と前記裏側シート部との非貼り合わせ領域を形成して形成されていることを特徴とする。
【００１０】
本発明の請求項７に係る発明は、請求項１〜５のいずれか一項に記載の薬袋において、前記薬袋本体は、前記裏側シート部と共に１枚のシートから形成された前記表側シート部の裏面と前記裏側シート部の表面とを袋状に貼り合わせて形成されていることを特徴とする。
本発明の請求項８に係る発明は、請求項１〜５のいずれか一項に記載の薬袋において、前記処方薬説明シートは、前記薬袋本体の開口部または前記薬袋本体の一側辺部に隣接して前記表側シート部と一体に形成され、前記薬袋本体は、前記表側シート部の裏面に透明フィルムからなる裏側シート部を袋状に貼り合わせて形成されていることを特徴とする。
【００１１】
本発明の請求項９に係る発明は、請求項１〜８のいずれか一項に記載の薬袋において、前記処方薬説明シートは、前記薬袋本体の外形寸法とほぼ同じ大きさで方形状に形成されていることを特徴とする。
本発明の請求項１０に係る発明は、請求項１〜９のいずれか一項に記載の薬袋において、前記薬袋本体の表面部と前記処方薬説明シートの表面部のいずれか一方のみに、前記処方薬の提供日時と処方者情報が印刷されていることを特徴とする。
【発明の効果】
【００１２】
請求項１〜２に記載の発明によれば、処方薬の品名や用法等に関する情報を印刷するための領域を薬袋本体の表面部に確保しなくてもよいので、薬袋自体の外形寸法が必要以上に大きくなったりすることを抑制することができる。また、薬袋本体の表面部に印刷される処方薬の提供者情報と同時に処方薬説明シートの表面部に処方薬の説明事項を印刷でき、処方薬の提供者情報や説明事項を印刷した後に薬袋本体を作成したりする必要がないので、処方薬を患者に提供するまでの時間が長くなったりすることを抑制することができる。
また、処方薬説明シートを薬袋本体の表側に折り返したときに処方薬説明シートの表面部に印刷された情報が透けて見えることを防止することができる。
【００１３】
請求項３に記載の発明によれば、薬袋本体の開口部を例えば横向きにしたときに処方薬が薬袋本体の開口部から落下することを防止することができる。
請求項４に記載の発明によれば、薬袋本体の開口部を下向きや横向きにしたときに処方薬が薬袋本体の開口部から落下することを防止することができる。
請求項５〜７に記載の発明によれば、薬袋本体の表面部や処方薬説明シートの表面部に印刷を施すときに薬袋本体の中に入り込んだ空気によって印刷時に薬袋が破損したりプリンタに紙詰りが発生したりすることを防止することができる。
【００１４】
また、請求項８に記載の発明によれば、薬袋本体の中に収容された処方薬を透明フィルムからなる裏側シート部を通して視認することができ、従って、処方薬の服用忘れを防止することができる。さらに、薬袋本体の中に収容された処方薬を視認するための透視窓を薬袋本体の裏側シート部に形成する必要がなく、透明フィルムからなる裏側シート部を表側シート部の裏面に袋状に貼り合わせるだけで薬袋本体を形成することができ、従って、薬袋本体の形成に多くの手間を要することなく薬袋を製造することができる。また、薬袋本体の裏側シート部のみが透明フィルムから形成され、処方薬の提供者情報を薬袋本体の表側シート部に印刷する際にプリンタの印字ヘッドと接触したりすることがないので、薬袋本体の裏側シート部にシワなどが発生することを防止することができる。
【００１５】
請求項９に記載の発明によれば、処方薬説明シートを薬袋本体の表側に折り返すことによってテーブルの上面などに薬袋本体を立てた状態で置くことができるとともに、処方薬が薬袋本体の内部から脱落することが防止できる。
請求項１０に記載の発明によれば、処方薬の提供日時や処方医師などの処方者情報を薬袋本体の表面部と処方薬説明シートの表面部に重複して印刷する必要がないので、印刷に要するコストを削減できると共に印刷に要する時間を短縮することができる。
【図面の簡単な説明】
【００１６】
【図１】本発明の第１の実施形態に係る薬袋を示す平面図である。
【図２】本発明の第１の実施形態に係る薬袋の薬袋本体を展開した状態を示す平面図である。
【図３】図１のＡ−Ａ断面を示す図である。
【図４】本発明の第１の実施形態に係る薬袋を作成するときに手順を示す図である。
【図５】本発明の第１の実施形態に係る薬袋の処方薬説明シートを薬袋本体の表面部側に折り返した状態を示す斜視図である。
【図６】本発明の第２の実施形態に係る薬袋を示す断面図である。
【図７】本発明の第３の実施形態に係る薬袋を示す平面図である。
【図８】本発明の第４の実施形態に係る薬袋を示す平面図である。
【図９】図８のＢ−Ｂ断面を示す図である。
【図１０】本発明の第５の実施形態に係る薬袋の表面を示す平面図である。
【図１１】本発明の第５の実施形態に係る薬袋の背面を示す平面図である。
【図１２】図１０のＣ−Ｃ断面を示す図である。
【図１３】本発明の第６の実施形態に係る薬袋の表面を示す平面図である。
【図１４】本発明の第７の実施形態に係る薬袋の表面を示す平面図である。
【図１５】本発明の第８の実施形態に係る薬袋の表面を示す平面図である。
【図１６】本発明の第９の実施形態を説明するための図である。
【図１７】本発明の第１０の実施形態に係る薬袋を示す斜視図である。
【図１８】本発明の第１１の実施形態に係る薬袋の表面を示す平面図である。
【図１９】本発明の第１２の実施形態に係る薬袋の表面を示す図である。
【発明を実施するための形態】
【００１７】
以下、図面を参照して本発明の実施形態について説明する。
図１は本発明の第１の実施形態に係る薬袋を示す平面図、図２は図１のＡ−Ａ断面を示す図、図３は第１の実施形態に係る薬袋の薬袋本体を展開した状態を示す斜視図であって、第１の実施形態に係る薬袋１０は薬袋本体１１と処方薬説明シート１２とから構成されている。
【００１８】
薬袋本体１１は調剤薬局や病院などで処方薬を患者に提供するときに処方薬を入れるものであって、袋状に形成されている。そして、薬袋本体１１は薬袋本体１１の中に処方薬を入れるための開口部１１ａを有しているとともに、長方形などの方形状に形成された表側シート部１１ｂを有している。この表側シート部１１ｂは薬袋本体１１の表面部１１ｃを形成しており、表側シート部１１ｂによって形成された薬袋本体１１の表面部１１ｃには、患者に処方薬を提供する処方薬提供者（例えば薬局名や病院名、処方薬提供者の住所、電話番号、ファクシミリ番号、薬剤師名など）の情報が印刷されている。
【００１９】
また、薬袋本体１１は薬袋本体１１の裏面部１１ｅを形成する裏側シート部１１ｄを有し、この裏側シート部１１ｄは表側シート部１１ｂと同じ大きさで方形状に形成されていると共に、表側シート部１１ｂの裏面に袋状に貼り合わされている。
薬袋本体１１の表側シート部１１ｂは、裏側シート部１１ｄと共に１枚のシートから形成されている。そして、薬袋本体１１は表側シート部１１ｂの裏面の左右側辺部と裏側シート部１１ｄの表面の左右側辺部とを貼り合わせて形成され、図２に示すように、表側シート部１１ｂと裏側シート部１１ｄとの貼り合わせ領域１３を表側シート部１１ｂと裏側シート部１１ｄの左右側辺部に有している。
【００２０】
処方薬説明シート１２は薬袋本体１１の中に収容される処方薬の用法等に関する情報を患者に説明するためのものであって、この処方薬説明シート１２は薬袋本体１１の開口部１１ａに隣接して薬袋本体１１の裏側シート部１１ｄと一体に形成されている。そして、処方薬説明シート１２は薬袋本体１１の表面部１１ｃと同じ側に表面部１２ａを有し、この表面部１２ａには、処方薬の説明事項（例えば、処方薬の品名、用量、用法、効能、注意事項などの薬剤情報）が患者名、処方薬の提供日時、特記事項、処方医師名等と共に印刷されている。また、処方薬説明シート１２は薬袋本体１１の裏面部１１ｅと同じ側に裏面部１２ｂを有し、この裏面部１２ｂと薬袋本体１１の裏面部１１ｅには、広告などがカラー印刷されている。
【００２１】
薬袋本体１１は、空気抜き１４ａ，１４ｂを有している。これらの空気抜き１４ａ，１４ｂは薬袋本体１１の中に入り込んだ空気を抜くためのものであって、図２に示すように、表側シート部１１ｂと裏側シート部１１ｄが連接する部分の左右両端部に、表側シート部１１ｂと裏側シート部１１ｄとの非貼り合わせ領域１５を形成して薬袋本体１１に形成されている。
【００２２】
図４は本発明の第１の実施形態に係る薬袋を作成する場合の手順を概略的に示す図であって、第１の実施形態に係る薬袋を作成する場合には、図４（ａ）に示すように、ロール紙１６を用意する。次に、ロール紙１６の表面または裏面に広告を印刷した後、ロール紙１６を所定寸法に裁断し、薬袋本体１１の表側シート部１１ｂと裏側シート部１１ｄおよび処方薬説明シート１２が連続して形成された１枚のシート紙１７を作成する（図４（ｂ）参照）。そして、表側シート部１１ｂと裏側シート部１１ｄとの貼り合わせ領域１３に接着剤を塗布する。このとき、表側シート部１１ｂと裏側シート部１１ｄとの非貼り合わせ領域１５が所定位置（表側シート部１１ｂと裏側シート部１１ｄが連接する部分の左右両端部）に形成されるように、接着剤を貼り合わせ領域１３に塗布する。
【００２３】
表側シート部１１ｂと裏側シート部１１ｄとの貼り合わせ領域１３に接着剤を塗布したならば、図４（ｃ）に示すように、薬袋本体１１の表側シート部１１ｂを裏側シート部１１ｄの表面側に折り返し、表側シート部１１ｂの左右側辺部と裏側シート部１１ｄの左右側辺部とを接着剤により貼り合わせて処方薬説明シート付き薬袋１０を作成する（図４（ｄ）参照）。
【００２４】
このようにして処方薬説明シート付き薬袋１０を作成したならば、薬局などに設置されたプリンタに処方薬説明シート付き薬袋１０をセットする。そして、処方薬を患者に提供するときにプリンタを作動させ、薬袋本体１１の表面部１１ｃに処方薬の提供者情報を印刷し、これと同時に処方薬説明シート１２の表面部１２ａに処方薬の用法等に関する説明事項を印刷する。
【００２５】
上述した本発明の第１の実施形態では、処方薬の用法等に関する情報を説明するための処方薬説明シート１２が薬袋本体１１の裏側シート部１１ｄと一体に形成されていることで、特許文献１に記載されたもののように、処方薬の品名や用法、注意事項等に関する情報を印刷するための領域を薬袋本体の表面部に確保する必要がないので、薬袋自体の外形寸法が必要以上に大きくなったりすることを抑制することができる。
【００２６】
また、薬袋本体１１の表面部１１ｃに処方薬の提供者情報を薬局などで印刷するときに処方薬説明シート１２の表面部１２ａに処方薬の説明事項（処方薬情報）を同時に印刷することができ、特許文献２に記載されたもののように、上部シートと下部シートの背面に患者名や処方薬情報を印刷した後に中央シートと下部シートとを袋状に貼り合わせて袋本体を作成する必要がないので、処方薬を患者に提供するまでの時間が長くなったりすることを抑制することができる。
【００２７】
また、薬袋本体１１の中に入り込んだ空気を抜くための空気抜き１４ａ，１４ｂを薬袋本体１１に設けたことで、薬袋本体１１の表面部１１ｃや処方薬説明シート１２の表面部１２ａに印刷を施すときに薬袋本体１１の中に入り込んだ空気によって印刷時に薬袋が破損したりプリンタに紙詰りが発生したりすることを防止することができる。
さらに、処方薬説明シート１２を薬袋本体１１の外形寸法と同じ大きさで方形状に形成したことで、図５に示すように、処方薬説明シート１２を薬袋本体１１の表面部側に折り返すことによって、テーブルの上面などに薬袋本体１１を立てた状態で置くことができ、これにより紛失や服用忘れ等のおそれがない。また、処方薬が薬袋本体１１の内部から脱落して散乱することも防止できる。
【００２８】
また、処方薬説明シート１２の裏面部１２ｂに広告を印刷したことで、処方薬説明シート１２を薬袋本体１１の表面部側に折り返したときに処方薬説明シート１２の表面部１２ａに印刷された情報が透けて見えることを防止することができる。
さらに、処方薬の説明事項が患者名、処方薬の提供日時、特記事項、処方医師名等と共に処方薬説明シート１２の表面部１２ａに印刷されることで、薬袋本体１１の表面部１１ｃに患者名、処方薬の提供日時、特記事項、処方医師名等を重複して印刷する必要がないので、印刷に要するコストを削減できると共に印刷に要する時間を短縮することができる。
上述した第１の実施形態では、薬袋本体１１が１枚のシートからなるものを例示したが、図６に示す第２の実施形態のように、薬袋本体１１を２枚のシート１８，１９から形成してもよい。
【００２９】
また、上述した第１の実施形態では、処方薬を調合した薬剤師の名前を処方薬の提供者情報と共に薬袋本体の表面部に記載するようにしたが、図７に示す第３の実施形態のように、処方薬の提供者情報のみを薬袋本体１１の表面部１１ｃに印刷し、薬剤師名等は処方薬説明シート１２の表面部１２ａに印刷するようにしてもよい。
また、上述した第１の実施形態では、処方薬が提供される患者の名前や処方薬の用法などを処方薬説明シートの表面部に記載するようにしたが、患者の名前や処方薬の用法などを薬袋本体の表面部にも印刷するようにしてもよい。
【００３０】
次に、図８及び図９を参照して本発明の第４の実施形態について説明する。
図８は本発明の第４の実施形態に係る薬袋の表面を示す平面図、図９は図８のＢ−Ｂ断面を示す図であり、第４の実施形態に係る薬袋は、薬袋本体１１と処方薬説明シート１２とから構成されている。
【００３１】
薬袋本体１１は調剤薬局や病院などで処方薬を患者に提供するときに処方薬を入れるものであって、袋状に形成されている。そして、薬袋本体１１は薬袋本体１１の中に処方薬を入れるための開口部１１ａを有しているとともに、長方形などの方形状に形成された表側シート部１１ｂを有している。この表側シート部１１ｂは薬袋本体１１の表面部１１ｃを形成しており、表側シート部１１ｂによって形成された薬袋本体１１の表面部１１ｃには、患者に処方薬を提供する処方薬提供者（例えば薬局名や病院名、処方薬提供者の住所、電話番号、ファクシミリ番号、薬剤師名など）の情報が印刷されている。そして、表側シート部１１ｂは指掛け部２０を有し、この指掛け部２０は薬袋本体１１の開口部を形成する表側シート部１１ｂの上辺部を例えば円弧状に切り欠いて形成されている。
【００３２】
また、薬袋本体１１は薬袋本体１１の裏面部１１ｅを形成する裏側シート部１１ｄを有し、この裏側シート部１１ｄは表側シート部１１ｂと同じ大きさで方形状に形成されていると共に、表側シート部１１ｂの裏面に袋状に貼り合わされている。
処方薬説明シート１２は薬袋本体１１の中に収容される処方薬の用法等に関する情報を患者に説明するためのものであって、この処方薬説明シート１２は薬袋本体１１の一側辺部に隣接して薬袋本体１１の裏側シート部１１ｄと一体に形成されている。そして、処方薬説明シート１２は薬袋本体１１の表面部１１ｃと同じ側に表面部１２ａを有し、この表面部１２ａには、処方薬の説明事項（例えば、処方薬の品名、用量、用法、効能、注意事項などの薬剤情報）が患者名、処方薬の提供日時等と共に印刷されている。また、処方薬説明シート１２は薬袋本体１１の裏面部１１ｅと同じ側に裏面部１２ｂを有し、この裏面部１２ｂと薬袋本体１１の裏面部１１ｅには、広告などがカラー印刷されている。
【００３３】
薬袋本体１１は、裏側シート部１１ｄと共に１枚のシートから形成された表側シート部１１ｂの裏面と裏側シート部１１ｄの表面とを袋状に貼り合わせて形成されている。そして、薬袋本体１１は薬袋本体１１の中に入り込んだ空気を抜くための空気抜き１４ａ，１４ｂを有し、これらの空気抜き１４ａ，１４ｂは表側シート部１１ｂと裏側シート部１１ｄとの非貼り合わせ領域に形成されている。
上述した本発明の第４の実施形態では、処方薬の品名や用法、注意事項等に関する情報を印刷するための領域を薬袋本体の表面部に確保する必要がないので、第１の実施形態と同様に、薬袋自体の外形寸法が必要以上に大きくなったりすることを抑制することができる。
【００３４】
また、特許文献２に記載されたもののように、上部シートと下部シートの背面に患者名や処方薬情報を印刷した後に中央シートと下部シートとを袋状に貼り合わせて袋本体を作成する必要がないので、処方薬を患者に提供するまでの時間が長くなったりすることを抑制することができる。
さらに、第１の実施形態と同様に、薬袋本体１１の表面部１１ｃや処方薬説明シート１２の表面部１２ａに印刷を施すときに薬袋本体１１の中に入り込んだ空気によって印刷時に薬袋が破損したりプリンタに紙詰りが発生したりすることを防止することができる。
【００３５】
なお、上述した本発明の第４の実施形態では、処方薬説明シート１２が薬袋本体１１の裏側シート部１１ｄと一体に形成されたものを例示したが、これに限られるものでなく、処方薬説明シート１２は薬袋本体１１の表側シート部１１ｂと一体に形成されていてもよい。
【００３６】
次に、図１０及び図１１を参照して本発明の第５の実施形態について説明する。
図１０は本発明の第５の実施形態に係る薬袋の表面の表面を示す平面図、図１１は同実施形態に係る薬袋の背面を示す平面図、図１２は図１０のＣ−Ｃ断面を示す図であり、第５の実施形態に係る薬袋は、薬袋本体１１と処方薬説明シート１２とから構成されている。
【００３７】
薬袋本体１１は調剤薬局や病院などで処方薬を患者に提供するときに処方薬を入れるものであって、袋状に形成されている。そして、薬袋本体１１は薬袋本体１１の中に処方薬を入れるための開口部１１ａを有しているとともに、長方形などの方形状に形成された表側シート部１１ｂを有している。この表側シート部１１ｂは薬袋本体１１の表面部１１ｃを形成しており、表側シート部１１ｂによって形成された薬袋本体１１の表面部１１ｃには、患者に処方薬を提供する処方薬提供者（例えば薬局名や病院名、処方薬提供者の住所、電話番号、ファクシミリ番号、薬剤師名など）の情報が印刷されている。
【００３８】
また、薬袋本体１１は薬袋本体１１の裏面部１１ｅを形成する裏側シート部１１ｄを有し、この裏側シート部１１ｄは表側シート部１１ｂと同じ大きさで方形状に形成されている。また、裏側シート部１１ｄは透明フィルムからなり、表側シート部１１ｂの裏面に袋状に貼り合わされている。
薬袋本体１１は、また、薬袋本体１１の中に入り込んだ空気を抜くための空気抜き１４ａ，１４ｂを有し、これらの空気抜き１４ａ，１４ｂは表側シート部１１ｂと裏側シート部１１ｄとの非貼り合わせ領域に形成されている。
【００３９】
処方薬説明シート１２は薬袋本体１１の中に収容される処方薬の用法等に関する情報を患者に説明するためのものであって、この処方薬説明シート１２は薬袋本体１１の一側辺部に隣接して薬袋本体１１の表側シート部１１ｂと一体に形成されている。そして、処方薬説明シート１２は薬袋本体１１の表面部１１ｃと同じ側に表面部１２ａを有し、この表面部１２ａには、処方薬の説明事項（例えば、処方薬の品名、用量、用法、効能、注意事項などの薬剤情報）が患者名、処方薬の提供日時等と共に印刷されている。
処方薬の品名、用量、用法、効能、注意事項などの薬剤情報は、処方薬説明シート１２の表面部１２ａに形成された薬剤情報印刷領域２１に印刷されている。
【００４０】
また、処方薬説明シート１２は表面部１２ａに調剤明細書印刷領域２２を有し、この調剤明細書印刷領域２２に処方薬の点数などが調剤明細書として印刷されている。
処方薬説明シート１２は薬袋本体１１の裏面部１１ｅと同じ側に裏面部１２ｂを有し、この裏面部１２ｂと薬袋本体１１の裏面部１１ｅには、広告などがカラー印刷されている。
上述した本発明の第５の実施形態では、処方薬の品名や用法、注意事項等に関する情報を印刷するための領域を薬袋本体の表面部に確保する必要がないので、第１の実施形態と同様に、薬袋自体の外形寸法が必要以上に大きくなったりすることを抑制することができる。
【００４１】
また、特許文献２に記載されたもののように、上部シートと下部シートの背面に患者名や処方薬情報を印刷した後に中央シートと下部シートとを袋状に貼り合わせて袋本体を作成する必要がないので、処方薬を患者に提供するまでの時間が長くなったりすることを抑制することができる。
さらに、第１の実施形態と同様に、薬袋本体１１の表面部１１ｃや処方薬説明シート１２の表面部１２ａに印刷を施すときに薬袋本体１１の中に入り込んだ空気によって印刷時に薬袋が破損したりプリンタに紙詰りが発生したりすることを防止することができる。
【００４２】
また、薬袋本体１１の中に収容された処方薬を透明フィルムからなる裏側シート部１１ｄを通して視認することができ、従って、処方薬の服用忘れを防止することができる。
さらに、薬袋本体１１の中に収容された処方薬を視認するための透視窓を薬袋本体１１の裏側シート部１１ｄに形成する必要がなく、透明フィルムからなる裏側シート部１１ｄを表側シート部１１ａの裏面に袋状に貼り合わせるだけで薬袋本体を形成することができ、従って、薬袋本体１１の形成に多くの手間を要することなく薬袋を製造することができる。
【００４３】
また、薬袋本体１１の裏側シート部１１ｄのみが透明フィルムから形成され、処方薬の提供者情報を薬袋本体１１の表側シート部１１ｂに印刷する際にプリンタの印字ヘッドと接触したりすることがないので、薬袋本体１１の裏側シート部１１ｄにシワなどが発生することを防止することができる。
さらに、薬袋本体１１の裏側シート部１１ｄが透明フィルムから形成されているので、表側シート部１１ｂの裏面部に処方薬の注意事項を印刷しておくことで、表側シート部１１ｂの裏面部に印刷された処方薬の注意事項を裏側シート部１１ｄを通して視認することができる。
【００４４】
上述した第５の実施形態では、処方薬説明シート１２の表面部１２ａに薬剤情報印刷領域２１と調剤明細書印刷領域２２とを形成したものを例示したが、これに限られるものではない。例えば、図１３に示す本発明の第６の実施形態のように、処方薬説明シート１２の表面部１２ａに薬剤情報印刷領域２１、調剤明細書印刷領域２２および領収書印刷領域２３を形成してもよい。
【００４５】
図１４は本発明の第７の実施形態に係る薬袋の表面を示す平面図であり、この薬袋１０が第１〜第６の実施形態と異なる点は、開口部１１ａの両端側に形成された貼り合わせ部２５ａ，２５ｂのうち一方の貼り合わせ部（例えば貼り合わせ部２５ａ）の開口部側端部に帯状貼り合わせ部２６を開口部１１ａの幅方向に沿って形成し、薬袋本体１１の開口幅を帯状貼り合わせ部２６により狭めた点である。
【００４６】
このような構成によると、第１〜第６の実施形態と同様に、薬袋自体の外形寸法が必要以上に大きくなったり、処方薬を患者に提供するまでの時間が長くなったりすることを抑制できるのに加え、図１４のように、例えば薬袋本体１１の開口部１１ａを横向きにしたときに薬袋本体１１に収容された処方薬が開口部１１ａから落下することを防止することができる。
【００４７】
図１４に示した第7の実施形態では、帯状貼り合わせ部２６を貼り合わせ部２５ａ，２５ｂの一方に形成したものを例示したが、これに限られるものではなく、貼り合わせ部２５ａ，２５ｂの両方に帯状貼り合わせ部２６を形成してもよい。また、第7の実施形態では、薬袋本体１１と処方薬説明シート１２との境界部にミシン目等からなる切取り線２７が形成されたものを例示したが、切取り線２７は無くてもよい。
【００４８】
図１５は本発明の第８の実施形態に係る薬袋の表面を示す平面図であり、この薬袋１０が第１〜第６の実施形態と異なる点は、薬袋本体１１の開口部１１ａから処方薬が落下するのを防ぐ処方薬落下防止片２８を、表側シート部１１ｂまたは裏側シート部１１ｄの４つの端辺部のうち開口部１１ａを形成する端辺部に折り返し可能に設けた点である。
このような構成によると、第１〜第６の実施形態と同様に、薬袋自体の外形寸法が必要以上に大きくなったり、処方薬を患者に提供するまでの時間が長くなったりすることを抑制できるのに加え、薬袋本体１１の開口部１１ａを下向きや横向きにしたときに薬袋本体１１に収容された処方薬が開口部１１ａから落下することを防止することができる。
【００４９】
図１５に示した第８の実施形態では、第１〜第５の実施形態と同様に、薬袋本体１１の中に入り込んだ空気を抜くための空気抜き１４ａ，１４ｂが表側シート部１１ｂと裏側シート部１１ｄとの非貼り合わせ領域１５から形成されたものを例示したが、これに限られるものではない。たとえば、図１４に示すように、表側シート部１１ｂ及び／または裏側シート部１１ｄにパンチ孔を穿設して空気抜き１４ａ，１４ｂを形成してもよい。
【００５０】
また、図１６に示す本発明の第９の実施形態のように、薬袋本体１１に指掛け部２０と空気抜き部１４を形成する場合には、例えば図１６（ａ）に示すような形状の抜き型２９、すなわち山形の形状を有する空気抜き形成部２９ａと、この空気抜き形成部２９ａの底辺部に形成された半円形状の指掛け形成部２９ｂとからなる抜き型２９を用いる。そして、図１６（ｂ）に示すように、薬袋本体の例えば表側シート部１１ｂに指掛け部２０と空気抜き部１４とを抜き型２９で形成した後、表側シート部１１ｂと裏側シート部１１ｄとを袋状に貼り合わせることで、薬袋本体１１に指掛け部２０と空気抜き部１４とを同時に形成することができる。
上述した第１〜第９の実施形態では、処方薬説明シート１２が１枚のものを例示したが、図１７に示す本発明の第１０の実施形態のように、処方薬説明シート１２は２枚であってもよい。
【００５１】
また、図１８に示す第１１の実施形態のように、開口部１１ａの両側に非貼り合わせ部３０が２０ｍｍ程度の長さで形成されるように、表側シート部１１ｂと裏側シート部１１ｄとの貼り合わせ長さを小さくしてもよい。このような構成によると、薬袋本体１１の開口部１１ａが通常よりも大きく開くことになるので、薬袋本体１１の中に処方薬を入れやすくすることができるという効果がある。
【００５２】
また、図１９に示す第１２の実施形態のように、薬袋本体１１の開口部１１ａや薬袋本体１１と処方薬説明シート１２との境界部に折り目３１を予め形成しておいてもよい。このような構成によると、薬剤師や患者は薬本体１１の中に処方薬を入れた後、処方薬説明シート１２や薬袋本体１１の開口部１１ａを折り目３１に沿って自然に折り返すことになるので、処方薬が薬本体１１から脱落することを防止することができる。
【符号の説明】
【００５３】
１０…薬袋
１１…薬袋本体
１１ａ…薬袋本体の開口部
１１ｂ…薬袋本体の表側シート部
１１ｃ…薬袋本体の表面部
１１ｄ…薬袋本体の裏側シート部
１１ｅ…薬袋本体の裏面部
１２…処方薬説明シート
１２ａ…処方薬説明シートの表面部
１２ｂ…処方薬説明シートの裏面部
１３…表側シート部と裏側シート部との貼り合わせ領域
１４，１４ａ，１４ｂ…空気抜き
１５…表側シート部と裏側シート部との非貼り合わせ領域
１６…ロール紙
１７，１８，１９…シート紙
２０…指掛け部
２１…薬剤情報印刷領域
２２…調剤明細書印刷領域
２３…領収書印刷領域
２５ａ，２５ｂ…貼り合わせ部
２６…帯状貼り合わせ部
２７…切取り線
２８…処方薬落下防止片
２９…抜き型
２９ａ…空気抜き形成部
２９ｂ…指掛け形成部
３０…非貼り合わせ部
３１…折り目
【図１】
0005725944.tif 000002
【図２】
0005725944.tif 000003
【図３】
0005725944.tif 000004
【図４】
0005725944.tif 000005
【図５】
0005725944.tif 000006
【図６】
0005725944.tif 000007
【図７】
0005725944.tif 000008
【図８】
0005725944.tif 000009
【図９】
0005725944.tif 000010
【図１０】
0005725944.tif 000011
【図１１】
0005725944.tif 000012
【図１２】
0005725944.tif 000013
【図１３】
0005725944.tif 000014
【図１４】
0005725944.tif 000015
【図１５】
0005725944.tif 000016
【図１６】
0005725944.tif 000017
【図１７】
0005725944.tif 000018
【図１８】
0005725944.tif 000019
【図１９】
0005725944.tif 000020